(57)【特許請求の範囲】
【請求項１】
タッチ入力が可能な操作パネルを有する画像形成装置であって、
前記操作パネルにおけるタッチ入力面の一端側に第１操作キーを配置する第１操作画面を前記タッチ入力面上に表示する画面表示手段と、
前記第１操作キーの操作に呼応して、前記第１操作キーを隠さないように前記第１操作画面に重ねて第２操作画面を表示するウィンドウ表示手段と、
前記第２操作画面が表示されている状態において前記第１操作キーが操作されたときに、前記第２操作画面を非表示にするウィンドウ非表示手段と、を備え、
前記第２操作画面では、前記タッチ入力面の他端側に第２操作キーが配置され、
前記ウィンドウ表示手段は、前記第２操作キーの操作に呼応して前記第２操作画面を非表示にし、
前記第２操作画面では、操作者が動作設定の内容を指定するための第３操作キーが前記第１操作キーと第２操作キーとの間の領域に配置されるとともに、前記第２操作画面において操作者が指定した動作設定の変更を操作者が取り消すための取消キーおよび前記第２操作画面での動作設定の内容の指定を終えることを操作者が入力するための入力キーが前記第２操作キーとして配置されており、
前記第３操作キーの操作に従って動作設定を更新する設定更新手段と、
前記入力キーが操作された場合および前記第３操作キーが操作された後に前記第１操作キーが操作された場合に、前記設定更新手段による動作設定の更新を有効とし、かつ、前記取消キーが操作された場合に、前記設定更新手段による動作設定の更新を無効にする設定管理手段と、をさらに備える
ことを特徴とする画像形成装置。
【請求項２】
前記第１操作画面は、前記第１操作キーを含みかつ前記タッチ入力面の端縁に沿って並ぶ複数の選択キーを有しており、
前記ウィンドウ非表示手段は、前記第２操作画面が表示されている状態において前記複数の選択キーのいずれかが操作されたときに、前記第２操作画面を非表示にし、
前記設定管理手段は、前記第３操作キーが操作された後に前記複数の選択キーのいずれかが操作された場合に、前記設定更新手段による動作設定の更新を有効とする
請求項１記載の画像形成装置。
【請求項３】
タッチ入力が可能な操作パネルを有する画像形成装置の操作制御方法であって、
前記操作パネルにおける画面表示を制御するコントローラが、
前記操作パネルにおけるタッチ入力面の一端側に第１操作キーを配置する第１操作画面を前記タッチ入力面上に表示し、
前記第１操作キーの操作に呼応して、前記第１操作キーを隠さないように前記第１操作画面に重ねて第２操作画面を表示し、
前記第２操作画面が表示されている状態において前記第１操作キーが操作されたときに、前記第２操作画面を非表示にし、
前記第２操作画面では、前記第２操作画面において操作者が指定した動作設定の変更を操作者が取り消すための取消キーおよび前記第２操作画面での動作設定の内容の指定を終えることを操作者が入力するための入力キーが第２操作キーとして前記タッチ入力面の他端側に配置されるとともに、操作者が動作設定の内容を指定するための第３操作キーが前記第１操作キーと第２操作キーとの間の領域に配置されており、
前記コントローラは、前記第３操作キーの操作に従って動作設定を更新し、前記入力キーが操作された場合および前記第３操作キーが操作された後に前記第１操作キーが操作された場合に、前記第２操作画面が表示された後の動作設定の更新を有効とする
ことを特徴とする操作制御方法。
【請求項４】
前記コントローラは、前記第２操作画面が表示されている状態において前記取消キーが操作された場合に、前記第２操作画面が表示された後の動作設定の更新を取り消す
請求項３記載の操作制御方法。
【請求項５】
タッチ入力が可能な操作パネルを有する画像形成装置において実行されるコンピュータプログラムであって、
前記画像形成装置に備わるコンピュータによって実行されたときに、
前記操作パネルにおけるタッチ入力面の一端側に第１操作キーを配置する第１操作画面を前記タッチ入力面上に表示するステップと、
前記第１操作キーの操作に呼応して、前記第１操作キーを隠さないように前記第１操作画面に重ねて第２操作画面を表示するステップと、
前記第２操作画面が表示されている状態において前記第１操作キーが操作されたときに、前記第２操作画面を非表示にするステップとを、前記コンピュータに実現させ、
前記第２操作画面は、前記第２操作画面において操作者が指定した動作設定の変更を操作者が取り消すための取消キーおよび前記第２操作画面での動作設定の内容の指定を終えることを操作者が入力するための入力キーを第２操作キーとして前記タッチ入力面の他端側に配置するとともに、操作者が動作設定の内容を指定するための第３操作キーを前記第１操作キーと第２操作キーとの間の領域に配置する画面であり、
前記第３操作キーの操作に従って動作設定を更新するステップと、
前記入力キーが操作された場合および前記第３操作キーが操作された後に前記第１操作キーが操作された場合に、前記第２操作画面が表示された後の動作設定の更新を有効とするステップと、
前記取消キーが操作された場合に、前記第２操作画面が表示された後の動作設定の更新を取り消すステップとを、さらに前記コンピュータに実現させる
ことを特徴とするコンピュータプログラム。
【請求項６】
タッチ入力が可能な操作パネルを有する画像形成装置において実行されるコンピュータプログラムであって、
前記画像形成装置に備わるコンピュータによって実行されたときに、
前記操作パネルにおけるタッチ入力面の一端側に複数の第１操作キーを配置する第１操作画面を前記タッチ入力面上に表示するステップと、
前記複数の第１操作キーのうちの１つの第１操作キーの操作に呼応して、前記複数の第１操作キーを隠さないように前記第１操作画面に重ねて、当該操作された１つの第１操作キーに対応づけられた第２操作画面を表示するステップと、
前記第２操作画面が表示されている状態において前記第２操作画面に対応する前記１つの第１操作キーが操作されたときに、前記第２操作画面を非表示にするステップとを、前記コンピュータに実現させ、
前記第２操作画面は、前記第２操作画面において操作者が指定した動作設定の変更を操作者が取り消すための第２操作キーである取消キーを前記タッチ入力面の他端側に配置するとともに、操作者が動作設定の内容を指定するための第３操作キーを前記第１操作キーと前記取消キーとの間の領域に配置する画面であり、
前記第３操作キーの操作に従って動作設定を更新するステップと、
前記第２操作画面が表示されている状態において前記第２操作画面に対応する前記１つの第１操作キーおよび前記取消キーのいずれかが操作された場合に、前記第２操作画面が表示された後の動作設定の更新を取り消すステップとを、さらに前記コンピュータに実現させる
ことを特徴とするコンピュータプログラム。
【発明の詳細な説明】
【技術分野】
【０００１】
本発明は、操作パネルによる操作に応じた動作をする画像形成装置、画像形成装置の操作のための操作制御方法およびコンピュータプログラムに関する。画像形成装置には、複写機、複合機と呼ばれる多機能周辺機器（ＭＦＰ：Multifunction Peripherals）、およびプリンタが含まれる。
【背景技術】
【０００２】
近年の多機能化した画像形成装置は、操作のためのマンマシンインタフェースとしてタッチパネルを備えている。ここでいうタッチパネルは、画面表示の可能なディスプレイとタッチ式ポインティングデバイスとを組み合わせた装置である。透光性のポインティングデバイスはディスプレイの前面に密着し、タッチパネルの表面は表示面とタッチ入力面とを兼ねている。
【０００３】
タッチパネルによる操作画面の表示に関して、表示中の操作画面に重ねて表示中の操作画面よりも小さい別の画面（ウィンドウと呼ばれる）を表示する技術がある。例えば、動作設定の項目を選択するための複数の項目選択キーを有する操作画面において、ユーザーが項目選択キーの一つを操作したときに、該当する項目の詳細な設定のためのウィンドウを開くことができる。特許文献１には、ウィンドウ内にセーブ／クローズボタンおよびキャンセルボタンを配置しておき、これらボタンのいずれかが押下されることを条件としてウィンドウを閉じるポップアップ表示方式が記載されている。
【先行技術文献】
【特許文献】
【０００４】
【特許文献１】特開平０２−１９７８６１号公報
【発明の概要】
【発明が解決しようとする課題】
【０００５】
操作画面に重ねてウィンドウを表示する操作パネルにおいて、操作画面およびウィンドウの双方におけるキー配置を工夫することによって操作性が高まる。すなわち、ウィンドウの開閉にかかわる第１の操作キーと第２の操作キーとの間に、操作者が動作設定の内容を指定するための第３の操作キーを配置するのが良い。第１の操作キーは、操作画面に配置されるキーであって、操作者がタッチするとウィンドウが開くキーである。第２の操作キーは、ウィンドウに配置されるキーであって、操作者がタッチするとウィンドウが閉じるキーである。第２の操作キーとしては、上記文献に開示されたセーブ／クローズボタンのように操作者が指定の完了を入力するためのキー（これをＯＫキーという）やキャンセルボタンのように指定の取消を入力するためのキー（これを取消キーという）がある。第３の操作キーはウィンドウに配置されるキーである。これら３種のキーを、第１、第３、第２の順に配置することにより、「操作者がウィンドウを開き、動作設定の内容を指定し、指定の完了を入力する」という一連の作業における手および視線の動きを簡素化することができる。ウィンドウでの操作を行うという意思をもった操作者にとって作業が効率的となる。
【０００６】
しかし、必ずしもウィンドウでの操作を行うという意思をもって操作者がウィンドウを開く（第１の操作キーにタッチする）とは限らない。ウィンドウで指定可能な設定項目を知る目的で開いたり、現状の設定状態を確認するために開いたり、誤って開いてしまったりすることが起こり得る。このような場合に、操作者は、操作をする必要のない第３の操作キーの一方側に配置された第１の操作キーから他方側に配置された第２の操作キーへ手を動かしてウィンドウを閉じなければならない。つまり、ウィンドウでの操作を行うという意思をもたない操作者には、上記のキー配置の利便性が生かされない。
【０００７】
また、他の問題もある。ウィンドウでの指定内容を実際の動作に反映させるオン状態と指定内容を保持したまま動作に反映させないオフ状態との切り替えが可能な装置において、ウィンドウを開いたときの状態のデフォルトをオン状態とした場合に、操作者の想定する動作と実際の動作とにずれの生じることがある。デフォルトがオン状態であれば、操作者はウィンドウを開いて直ぐに指定操作を開始することができる。しかし、例えば誤ってウィンドウを開いてしまった操作者が設定内容を指定する操作をすることなくＯＫキーを押下することが予想される。この場合、操作者が現状の設定状態を認識してジョブ（コピーやスキャンなど）を実行させるならば問題はないが、現状の設定状態とは異なる設定状態を想定してジョブを実行させるならば、ジョブの結果は操作者の意図しないものになる。一方、デフォルトをオフ状態とすると、ウィンドウで動作設定の内容を指定しようとする操作者には不便となる。ウィンドウを開いた後にオフ状態とオン状態に切り替える操作をしなければ、指定ができないからである。
【０００８】
本発明は、このような事情に鑑み、操作画面内に表示された別の画面を非表示にする操作の操作性を向上させることを目的としている。
【課題を解決するための手段】
【０００９】
上記目的を達成する装置は、タッチ入力が可能な操作パネルを有する画像形成装置であって、前記操作パネルにおけるタッチ入力面の一端側に第１操作キーを配置する第１操作画面を前記タッチ入力面上に表示する画面表示手段と、前記第１操作キーの操作に呼応して、前記第１操作キーを隠さないように前記第１操作画面に重ねて第２操作画面を表示するウィンドウ表示手段と、前記第２操作画面が表示されている状態において前記第１操作キーが操作されたときに、前記第２操作画面を非表示にするウィンドウ非表示手段と、を備え、前記第２操作画面では、前記タッチ入力面の他端側に第２操作キーが配置され、前記ウィンドウ表示手段は、前記第２操作キーの操作に呼応して前記第２操作画面を非表示にし、前記第２操作画面では、操作者が動作設定の内容を指定するための第３操作キーが前記第１操作キーと第２操作キーとの間の領域に配置されるとともに、前記第２操作画面において操作者が指定した動作設定の変更を操作者が取り消すための取消キーおよび前記第２操作画面での動作設定の内容の指定を終えることを操作者が入力するための入力キーが前記第２操作キーとして配置されており、前記第３操作キーの操作に従って動作設定を更新する設定更新手段と、前記入力キーが操作された場合および前記第３操作キーが操作された後に前記第１操作キーが操作された場合に、前記設定更新手段による動作設定の更新を有効とし、かつ、前記取消キーが操作された場合に、前記設定更新手段による動作設定の更新を無効にする設定管理手段と、をさらに備える。
【発明の効果】
【００１０】
本発明によれば、操作者は第１操作キーを押下して第２操作画面を表示させた後、再び第１操作キーを押下することによって第２操作画面を非表示にすることができ、第２操作画面を非表示にするために第１操作キーから第１操作キーと離れた第２操作キーまで手を動かす必要がない。
【図面の簡単な説明】
【００１１】
【図１】画像形成装置の外観の一例を示す図である。
【図２】画像形成装置のハードウェア構成を示す図である。
【図３】操作パネルの構成の一例を示す図である。
【図４】画像形成装置の要部の機能構成を示す図である。
【図５】ウィンドウが表示されていない操作画面の例を示す図である。
【図６】ウィンドウの構成の第１例を示す図である。
【図７】ウィンドウの構成の第２例を示す図である。
【図８】ウィンドウを開閉する操作制御の流れの第１例を示すフローチャートである。
【図９】ウィンドウを開閉する操作制御の流れの第２例を示すフローチャートである。
【図１０】キャンセルキー処理の流れを示すフローチャートである。
【図１１】ウィンドウの構成の第３例を示す図である。
【図１２】ウィンドウの構成の第４例を示す図である。
【図１３】ウィンドウの構成の第５例を示す図である。
【図１４】ウィンドウの構成の第６例を示す図である。
【図１５】ウィンドウの構成の第７例を示す図である。
【図１６】ウィンドウの構成の第８例を示す図である。
【図１７】ウィンドウの構成の第９例を示す図である。
【図１８】ウィンドウの構成の第１０例を示す図である。
【発明を実施するための形態】
【００１２】
図１に例示される画像形成装置１はカラー印刷の可能な複合機（ＭＦＰ）である。画像形成装置１は、基本機能であるコピーおよびネットワークプリンティングに加えて、イメージ入力、ファクシミリ通信、メール送受信、ドキュメントの保存などの種々の機能を有する。画像形成装置１のユーザーは、画像形成装置１の上部に設けられた操作パネル２０を用いて、機能の選択や動作設定の内容の指定を行うことができる。
【００１３】
図２のように、画像形成装置１は、操作パネル２０、イメージスキャナ２１、プリンタ２２、用紙ストッカ２３、制御回路２５、画像処理回路２６、ストレージ２７、通信インタフェース２８、および外部接続インタフェース３０を備える。操作パネル２０はタッチ入力を可能にするタッチパネル２０１を有している。イメージスキャナ２１は原稿に記録されている画像情報を光学的に読み取る。プリンタ２２は、多段形式の用紙ストッカ２３から供給される用紙の片面または両面にモノクロまたはカラーの画像を印刷する。制御回路２５は、制御プログラムを記憶するＲＯＭ２５１、制御プログラムを実行するＣＰＵ(central processing unit)２５２、およびプログラム実行のためのＲＡＭ２５３を有する。ＲＡＭ２５３は、ワークエリアとされるＳ−ＲＡＭと各種の設定を記憶するバッテリバックアップされたＮＶ−ＲＡＭ（不揮発性メモリ）とを含む。画像処理回路２６はイメージスキャナ２１の出力データの補正や印刷時のビットマップ展開を含む種々の画像処理を担う。ストレージ２７はハードディスクドライブのような大容量記憶デバイスである。ストレージ２７には、画像形成装置１の制御に係わるデータを記憶するメモリ領域とともに、各種ドキュメントのファイルを保存するメモリ領域（いわゆるボックス）が設けられる。通信インタフェース２８は、公衆回線を用いるファクシミリ通信を可能にする。外部接続インタフェース３０は、画像形成装置１と図示しないネットワークとを接続し、ＬＡＮ(Local Area Network)通信を可能にする。
【００１４】
図３のように、操作パネル２０にはタッチパネル２０１のタッチ入力面２０２と複数の固定キー（ハードキー）とが配置されている。タッチ入力面２０２には、タッチパネル２０１に備わるディスプレイ（例えば、液晶ディスプレイ）によってソフトキーを有した操作画面が表示される。例示における固定キーは、数値入力のためのテンキー６０、ユーザーがジョブの実行を開始させるためのスタートキー６１、および実行中のジョブを停止させるためのストップキー６１である。
【００１５】
図４は、操作パネル２０のコントローラとしての制御回路２５の機能構成を示す。制御回路２５は、画面表示部５０１、ウィンドウ表示部５０２、設定記憶部５０３、設定更新部５０４、設定管理部５０５、およびウィンドウ非表示部５０６を有する。これら要素は、コンピュータとしてのＣＰＵ２５２が操作制御プログラムを実行することによって実現される機能要素である。
【００１６】
画面表示部５０１は、操作パネル２０におけるタッチ入力面２０２の一端側に少なくとも一つの第１操作キーＫ１を配置する第１操作画面Ｑをタッチ入力面２０２上に表示する。
第１操作画面Ｑはタッチ入力面２０２の全域にわたる下地と第１操作キーＫ１とを有する。第１操作画面Ｑは画面表示の階層における最上位画面であってもよいし、最上位画面から操作に従って切り替えられた画面であってもよい。
【００１７】
ウィンドウ表示部５０２は、第１操作キーＫ１の操作に呼応して、第１操作キーＫ１を隠さないように第１操作画面Ｑに重ねて第２操作画面であるウィンドウＷを表示する。第１操作画面Ｑがタッチ入力面２０２の全域にわたるので、必然的にウィンドウＷの面積は第１操作画面Ｑの面積よりも小さい。以下において、ウィンドウＷを表示することを「ウィンドウＷを開く」と表現し、非表示にすることを「ウィンドウＷを閉じる」と表現することがある。
【００１８】
ウィンドウＷは、少なくとも一つの第２操作キーＫ２および少なくとも一つの第３操作キーＫ３を有している。第２操作キーＫ２は、タッチ入力面２０２における第１操作キーＫ１が配置された側とは反対の側（他端側）に配置される。そして、第３操作キーＫ３は、タッチ入力面２０２における第１操作キーＫ１と第２操作キーＫ２との間の領域に配置される。これらキーは後述する作用を生じさせる。
【００１９】
設定記憶部５０３は、第１操作キーＫ１の操作に呼応してウィンドウＷが開かれるとき、ＮＶ−ＲＡＭに記憶されている設定データＤ１のうち、操作者がウィンドウＷで指定可能な項目の現時点の設定内容を示すデータＤ２を更新前の設定情報として保持する。設定データＤ１の全体を保持してもよい。
【００２０】
設定更新部５０４は、第３操作キーＫ３の操作に従って動作設定を更新する。動作設定の更新は設定データＤ１を書き換えることで完結するが、リアルタイム処理で設定データＤ１を書き換える必要はない。例えば、操作内容を一時記憶しておき、本例の第２操作キーＫ２の一つであるＯＫキー１０２が操作されたときに設定データＤ１を書き換えてもよい。すなわち、更新後の設定をジョブの実行に反映させることができる範囲内の適時に設定データＤ１を書き換えればよい。リアルタイム処理の形式で設定データＤ１を書き換えない場合、設定更新部５０４による動作設定の更新とは、書き換えの準備として更新内容を保持することを意味する。
【００２１】
設定管理部５０５は、ウィンドウＷが表示されている状態において第１操作キーＫ１およびキャンセルキー（取消キー）１０１のいずれかが操作された場合に、設定更新手段による動作設定の更新を無効にする。詳しくは、設定データＤ１の書き換えが行われていない段階であれば、書き換えを中止させ、既に設定データＤ１の書き換えが行われていれば、データＤ２を上書きして設定データＤ１をウィンドウＷが開いた時点の状態に戻す。データＤ２の上書きをリアルタイム処理の形式で行う必要はなく、元の設定をジョブの実行に反映させることができる範囲内の適時に行えばよい。
【００２２】
以下、第１操作画面ＱおよびウィンドウＷの具体例を参照して画像形成装置１の動作をさらに詳しく説明する。
【００２３】
図５に示される操作画面Ｑ１は第１操作画面Ｑの一例である。操作画面Ｑ１は、コピー動作に関わる複数の機能から設定操作の対象を選択するための機能項目キーと呼ぶ六つの選択キーを有している。詳しくは、原稿設定キー９１、ブック原稿キー９２、連続読込みキー９３、自動回転キー９４、下地調整キー９５、および文字表現キー９６が操作画面Ｑ１の機能項目キーである。これら機能項目キーは、それぞれに対応づけられたウィンドウを呼び出す第１操作キーＫ１であり、ウィンドウを表示する領域を確保するように操作画面Ｑ１の上端部に横一列に並べて配置されている。このような操作画面Ｑ１がタッチ入力面２０２に表示されたとき、第１操作キーＫ１はタッチ入力面２０２における上下方向の一端側（上側部）に位置する。
【００２４】
例えば、操作画面Ｑ１において操作者が第１操作キーＫ１の一つであるブック原稿キー９２を押下した場合、図６のようにブック原稿キー９２に対応するウィンドウＷ１が表示される。
【００２５】
図６のようにウィンドウＷ１は、ブック原稿キー９２および他の全ての機能項目キー９１，９３〜９６を隠さないように（キー操作が可能なように）、操作画面Ｑ１に重ねて表示される。例示のウィンドウＷ１は、ブック原稿キー９２と重なるタグ状の小片部Ｗ１ａと一群の第３操作キーＫ３が配置される広大部Ｗ１ｂとが一体化した形状をもつ。これは、ウィンドウＷ１がブック原稿キー９２に対応することを操作者が理解し易くするためのデザイン上の工夫である。
【００２６】
ウィンドウＷ１において、小片部Ｗ１ａの真下、すなわち広大部Ｗ１ｂにおけるブック原稿キー９２に近い位置にＯＮキー１０３およびＯＦＦキー１０４が配置され、これらキーの下に一群の第３操作キーＫ３が配置されている。そして、ウィンドウＷ１の最下部に操作者が指定を取り消すためのキャンセルキー１０１および指定の完了を操作者が入力するためのＯＫキー１０２が配置されている。つまり、ウィンドウＷ１を開く第１操作キーであるブック原稿キー９２とウィンドウＷ１を閉じる第２操作キーＫ２の機能を有するキャンセルキー１０１およびＯＫキー１０２との間に、操作者が所望の動作設定の内容を指定するための第３操作キーＫ３が配置されている。これにより、「操作者がウィンドウを開き、動作設定の内容を指定し、指定の完了を入力しまたは取り消す」という一連の作業における手および視線の動きが簡素化される。
【００２７】
ＯＮキー１０３は、第３操作キーＫ３の操作を制御回路２５が受け付けないオフ状態を、第３操作キーＫ３の操作を受け付けるオン状態に操作者が切り替えるためのキーである。ＯＦＦキー１０４は、逆にオン状態をオフ状態に切り替えるためのキーである。図６の例では、ＯＮキー１０３の反転表示によって、現在の状態がオン状態であることが表されている。
【００２８】
なお、ウィンドウＷ１における第３操作キーＫ３は、ブック原稿（枚葉でない原稿）のコピーに関係する設定項目（見開き、分割、表カバー、表＋裏カバー、原稿外消去、センタリング、開き方向、枠消し、折り目消し）のそれぞれに対応したキーである。
【００２９】
図７はブック原稿キー９２に対応するウィンドウのオフ状態の表示例を示している。図７のウィンドウＷ２では、第３操作キーＫ３が通常よりも視認性を低くするいわゆるグレーアウトとされるとともに、ＯＦＦキー１０４が反転強調表示され、現在の状態がオフ状態であることが表されている。
【００３０】
図８はウィンドウを開閉する操作制御の流れの第１例を示す。
【００３１】
操作画面Ｑ１における第１操作キーＫ１である複数の機能項目キー９１〜９６のいずれかの操作（押下やタッチ）に呼応して、画面表示部５０１が操作された機能項目キーに対応するウィンドウＷを開く（Ｓ１１、Ｓ１２）。ここではブック原稿キー９２が押下されてウィンドウＷ１を開くものとする。
【００３２】
ウィンドウＷ１が開いた状態において当該ウィンドウＷ１に対応する機能項目キー（ブック原稿キー９２）が再び操作されると（Ｓ１３でＹｅｓ）、設定管理部５０５はウィンドウＷ１が開いた後に操作者が変更した設定の内容をウィンドウＷ１が開いた時点の内容に戻す（Ｓ１４）。そして、ウィンドウ非表示部５０６はウィンドウＷ１を閉じる（Ｓ１５）。ウィンドウＷ１が開いた状態においてキャンセルキー１０１が操作された場合も（Ｓ１６でＹｅｓ）、設定の内容が元に戻され、ウィンドウＷ１が閉じられる（Ｓ１４、Ｓ１５）。
【００３３】
ウィンドウＷ１が開いた状態においてＯＫキー１０２が操作されると（Ｓ１７でＹｅｓ）、設定管理部５０５はウィンドウＷ１が開いた後に操作者が指定した内容を動作設定に反映させる（Ｓ１８）。その後、ウィンドウ非表示部５０６はウィンドウＷ１を閉じる（Ｓ１５）。
【００３４】
このような操作制御において、ブック原稿キー９２だけでなく、ウィンドウＷ１が開いた状態において操作画面Ｑ１の複数の機能項目キー９１〜９６のいずれかが操作された場合にも、設定の内容を元に戻してウィンドウＷ１を閉じるようにしてもよい。
【００３５】
図９はウィンドウを開閉する操作制御の流れの第２例を示す。
【００３６】
操作画面Ｑ１における第１操作キーＫ１である複数の機能項目キー９１〜９６のいずれかの操作に呼応して、操作された機能項目キーに対応するウィンドウＷを画面表示部５０１が開く（Ｓ２１、Ｓ２２）。ここではブック原稿キー９２が押下されてウィンドウＷ１を開くものとする。
【００３７】
ウィンドウＷ１において第３操作キーＫ３が操作された後に当該ウィンドウＷ１に対応する機能項目キー（ブック原稿キー９２）が再び操作されると（Ｓ２３でＹｅｓ、かつＳ２４でＹｅｓ）、設定管理部５０５は操作者が指定した内容を動作設定に反映させる（Ｓ２５）。そして、ウィンドウ非表示部５０６はウィンドウＷ１を閉じる（Ｓ２６）。ウィンドウＷ１が開いた状態においてＯＫ１０２が操作された場合も（Ｓ２７でＹｅｓ）、操作者が指定した内容を動作設定に反映され、ウィンドウＷ１が閉じられる（Ｓ２５、Ｓ２６）。
【００３８】
ウィンドウＷ１が開いた状態においてキャンセルキー１０１が操作されると（Ｓ２８でＹｅｓ）、設定管理部５０５はウィンドウＷ１が開いた後に操作者が変更した設定の内容をウィンドウＷ１が開いた時点の内容に戻す（Ｓ２９）。その後、ウィンドウ非表示部５０６はウィンドウＷ１を閉じる（Ｓ２６）。
【００３９】
ウィンドウＷ１が開いた状態で第３操作キーＫ３が操作されなければ（Ｓ２３でＮｏ）、キャンセルキー処理が実行される（Ｓ３０）。キャンセルキー処理において「ウィンドウＷ１を閉じない」とする要求がなされなければ（Ｓ３１でＮｏ）、ウィンドウ非表示部５０６はウィンドウＷ１を閉じる（Ｓ２６）。「ウィンドウＷ１を閉じない」とする要求があれば（Ｓ３１でＹｅｓ）、流れはステップＳ２３に戻って操作者の操作を待ち受ける。
【００４０】
図１０は図９のキャンセルキー処理ルーチンのフローチャートである。
【００４１】
ウィンドウＷ１に対応する機能項目キー（ブック原稿キー９２）が再び操作されると（Ｓ４１でＹｅｓ）、設定管理部５０５はウィンドウＷ１が開いた後に操作者が変更した設定の内容をウィンドウＷ１が開いた時点の内容に戻す（Ｓ４２）。流れはメインフローにリターンする。キャンセルキー１０１が操作された場合も（Ｓ４３でＹｅｓ）、設定の内容が元に戻され（Ｓ４２）、流れはリターンする。
【００４２】
ウィンドウＷ１が開いた状態においてＯＫキー１０２が操作されると（Ｓ４４でＹｅｓ）、設定管理部５０５はウィンドウＷ１が開いた後に操作者が指定した内容を動作設定に反映させる（Ｓ４５）。
【００４３】
一方、第１操作キーＫ１であるブック原稿キー９２も第２操作キーＫ２であるキャンセルキー１０１およびＯＫキー１０２のいずれもが操作されなければ（Ｓ４１でＮｏ、Ｓ４３でＮｏ、Ｓ４４でＮｏ）、「ウィンドウＷ１を閉じない」とする要求をオンにしてメインルーチンへリターンする。
【００４４】
このような操作制御において、ブック原稿キー９２だけでなく、ウィンドウＷ１が開いた状態において操作画面Ｑ１の他の複数の機能項目キー９１，９３〜９６のいずれかが第３操作キーＫ３の操作が行われた後に操作された場合には、操作者が指定した内容を動作設定に反映させるようにしてもよい。
【００４５】
以下、ウィンドウの構成の変形例を挙げる。
【００４６】
図１１のウィンドウＷ２ｂは、ブック原稿キー９２の操作に呼応して表示されるオフ状態のウィンドウである。ウィンドウＷ２ｂでは、第３操作キーＫ３が完全に隠されるとともに、ＯＦＦキー１０４が反転強調表示され、現在の状態がオフ状態であることが表されている。
【００４７】
図１２においては、ブック原稿キー９２に対応するウィンドウＷ１ｂが全ての機能項目キー９１〜９６を隠さないように表示されている。ブック原稿キー９２が操作されたことを表すため、ブック原稿キー９２の下地色が他の機能項目キー９１，９３〜９６とは異なる色とされている。そして、ウィンドウＷ１ｂがブック原稿キー９２に関係することを表すため、ブック原稿キー９２の下地色とウィンドウＷ１ｂの下地色とが同色とされている。
【００４８】
図１３においては、ブック原稿キー９２に対応するウィンドウＷ１ｃが全ての機能項目キー９１〜９６を隠さないように表示されている。ブック原稿キー９２が操作されたことを表すため、ブック原稿キー９２の下地色が他の機能項目キー９１，９３〜９６とは異なる色とされている。また、ブック原稿キー９２の下地色とウィンドウＷ１ｃの下地色とが同色とされている。さらに、ウィンドウＷ１ｃがブック原稿キー９２に関係することをより明確に表すため、ウィンドウＷ１ｃの上縁とブック原稿キー９２の下縁とを結ぶ線Ｌ１が表示されている。
【００４９】
図１４においては、ブック原稿キー９２に対応するウィンドウＷ１ｂが全ての機能項目キー９１〜９６を隠さないように表示されている。図１４の操作画面Ｑ１においては、ブック原稿キー９２が操作されたこと、およびウィンドウＷ１ｂがブック原稿キー９２に関係することを表すため、ブック原稿キー９２以外の他の機能項目キー９１，９３〜９６は視認性が低くなるように暗転表示されている。
【００５０】
図１５においては、ブック原稿キー９２に対応するウィンドウＷ１が表示された状態において、ウィンドウＷ１がブック原稿キー９２に関係することをより明確に表すため、ブック原稿キー９２が目立つ色に着色されている。
【００５１】
図１６の操作画面Ｑ１ｂにおいては、最上部にメッセージ表示領域が配置され、その下に六つの機能項目キーおよびウィンドウＷ３が表示される。メッセージ表示領域には、
機能項目キーの一つであるブック原稿キー９２の押下がキャンセルキー１０１の押下と同様の作用を奏する旨を操作者に案内するメッセージＭ１が表示される。
【００５２】
図１７の操作画面Ｑ１ｃにおいては、最上部にメッセージを表示するための空白領域が設けられ、その下に六つの機能項目キーおよびウィンドウＷ３が表示される。最上部の空白領域には、ウィンドウＷ３に対応するブック原稿キー９２の押下がキャンセルキー１０１の押下と同様の作用を奏する旨を操作者に案内するメッセージＭ２を含む吹き出し（ポップアップウィンドウ）Ｗ５が表示される。
【００５３】
図１８の操作画面Ｑ１ｆにおいては、ブック原稿キー９２Ｂに対応するウィンドウＷ１が表示された状態において、ブック原稿キー９２Ｂがキャンセルキーに相当することを表すために、ブック原稿キー９２Ｂのキー名称としてキャンセルキー１０１と同様のキー名称が表記される。
【００５４】
以上の実施形態によれば、機能項目キー（例えば、ブック原稿キー９２）を押下してウィンドウＷ１を表示させた際に、機能項目キーを再度押下するだけでウィンドウＷ１を表示させたときの状態に戻して、ウィンドウＷ１を閉じるので、ウィンドウＷ１の最下部にあるキャンセルキー１０４を押下することなくウィンドウＷ１を表示させたときの状態に戻すことができる。確認のためにウィンドウＷ１を表示させたユーザーにとっての無駄な手の動きをなくし、操作性を向上させることができる。
【００５５】
ウィンドウＷ１を表示させた際に、機能項目キーを再度押下すると、ウィンドウＷ１を表示させたときの状態に戻すか、指定した設定内容を動作に反映させるかの切り替えを行うので、機能項目キーに近いキーによる指定をした場合に、ユーザーの無駄な手の動きをなくすことができる。
【００５６】
また、ウィンドウＷ１を表示させた際に、ウィンドウＷ１を表示する際に押下した機能項目キー（例えば、ブック原稿キー９２）だけでなく、他の機能項目キー９１，９３〜９６を押下することでウィンドウＷ１を表示させたときの設定状態に戻して、ウィンドウＷ１を閉じることができるので、他の機能項目の確認を行いたい場合に、ユーザーの操作性を向上することができる。
【００５７】
さらに、ウィンドウＷ１を表示させた際に、機能項目キーを押下するとどのような操作制御をするのかをユーザーに認識させる表示を行うので、ユーザーが機能項目キーの押下の作用を把握することができる。
【符号の説明】
【００５８】
１    画像形成装置
２０    操作パネル
Ｋ１    第１操作キー
Ｋ２    第２操作キー
Ｋ３    第３操作キー
Ｑ    第１操作画面
Ｗ    ウィンドウ（第２操作画面）
５０１    画面表示部（画面表示手段）
５０２    ウィンドウ表示部（ウィンドウ表示手段）
５０６    ウィンドウ非表示部（ウィンドウ非表示手段）
１０１    キャンセルキー（取消キー）
１０２    ＯＫキー（入力キー）
５０４    設定更新部（設定更新手段）
５０５    設定管理部（設定管理手段）
９１，９２，９３，９４，９５，９６    機能項目キー（選択キー）
９２    ブックキー（第１操作キー）
Ｑ１，Ｑ１ｂ、Ｑ１ｃ，Ｑ１ｆ    操作画面（第１操作画面）
Ｗ１，Ｗ１ｂ，Ｗ２，Ｗ３    ウィンドウ（第２操作画面）
Ｗ１ａ    小片部
Ｗ１ｂ    広大部
Ｍ１，Ｍ２    メッセージ（操作機能を操作者に知らせる情報）
【図１】
0005510108.tif 000002
【図２】
0005510108.tif 000003
【図３】
0005510108.tif 000004
【図４】
0005510108.tif 000005
【図５】
0005510108.tif 000006
【図６】
0005510108.tif 000007
【図７】
0005510108.tif 000008
【図８】
0005510108.tif 000009
【図９】
0005510108.tif 000010
【図１０】
0005510108.tif 000011
【図１１】
0005510108.tif 000012
【図１２】
0005510108.tif 000013
【図１３】
0005510108.tif 000014
【図１４】
0005510108.tif 000015
【図１５】
0005510108.tif 000016
【図１６】
0005510108.tif 000017
【図１７】
0005510108.tif 000018
【図１８】
0005510108.tif 000019